(57)【特許請求の範囲】
【請求項１】
食物を加熱調理する加熱庫と、この加熱庫の扉と、この扉の開放面にエアーカーテンを形成する手段と、を具備し、
さらに、加熱庫内温度を検知する手段と、扉の開放を検知する手段と、庫内温度が所定温度以上でかつ扉開の時に上記エアーカーテン形成手段を運転する制御手段とをさらに具備することを特徴とする調理用加熱装置。
【請求項２】
上記エアーカーテン形成手段が、扉開放面の下縁又は上縁に設けられた空気吹出し口と、扉開放面の上縁又は下縁に設けられた空気吸込み口と、両口間に流速３０m/sec 以上の気流を形成するための通風手段よりなる請求項１記載の調理用加熱装置。
【発明の詳細な説明】
【０００１】
【発明の属する技術分野】
本発明は、オーブン等の調理用加熱装置に関する。特には、扉開放時に加熱庫外に放出される熱気を遮蔽する手段を有する調理用加熱装置に関する。
【０００２】
【従来の技術】
オーブンを例にとって従来技術を説明する。オーブンは、食物を加熱調理するための加熱庫を有する。加熱庫内をガスバーナー等の加熱手段で加熱し、調理物を放射熱及び対流熱によって加熱調理する。最近では、加熱庫内にスチームを供給して調理物を蒸すスチーム調理機能を付加したスチームコンベクションオーブンも使われている。
【０００３】
オーブンは、加熱庫内の温度を均一化するためのファンを有する。調理者が調理温度及び調理時間を設定して運転開始ボタンを押すと、加熱（予熱）を開始し、庫内温度が調理温度に達するとブザーが鳴って調理者に知らせる。ブザーによって予熱完了を知った調理者は、加熱庫の扉を開けて、調理物を加熱庫内に入れる。その後、設定された調理時間の間、加熱庫内の温度は設定された調理温度に維持される。調理時間の経過後、バーナー・ファンを停止し、ブザーを鳴らせて調理終了を知らせる。
【０００４】
図３は、従来の代表的なスチームコンベクションオーブンの構成を示す正面断面図である。
同図のスチームコンベクションオーブン１０１は、直方体状の加熱庫１０３を中心に構成されている。加熱庫１０３の側方（図の左側）には、金網フィルター１２１を隔てて、庫内循環ファン１２３やバーナー１１５等を有する加熱装置１０４が設けられている。一般的な庫内雰囲気の加熱は、加熱器１１３によって行われる。加熱器１１３は、バーナー１１５と、このバーナー１１５の燃焼排気を通す多数の加熱管１０５よりなる。バーナー１１５では、都市ガス及び燃焼用空気が導入されて燃焼する。この燃焼排ガスは、加熱装置１１３から上方に分岐する多数の加熱管１０５へと送られる。なお、電気式のスチームコンベクションオーブンでは、加熱管１０５の代わりに電熱ヒーターが設置されている。
【０００５】
加熱管１０５は、遠心ファン１２３の周りを取り囲むように配置されている。ファン１２３は、庫外に配置されたモーター１０９によって駆動される。ファン１２３からその外周方向に吹き出される庫内循環空気は、加熱管１０５に当る時に加熱される。その後に、循環空気は、フィルター１２１の周囲の吹込み通路（上部吹込み通路１１９、下部吹込み通路１２５、及び、図示されている側部吹込み通路）から加熱庫１０３内に戻される。加熱庫１０３内の空気は、ファン１２３の中心部に向けて、フィルター１２１を通って吸い込まれ、ファン１２３の外周から吹き出され、庫内を循環する。なお、加熱管１０５を通った燃焼排ガスは、排気フードを通って屋外に排出される。
【０００６】
一方、庫内には、蒸気が、蒸気発生器１０７（ファン１２３の左に描かれている）から供給される。蒸気発生器１０７は、水の貯留されるタンクとこれを加熱するバーナー１１１よりなる。タンク内の水は加熱されて蒸気となり、蒸気吹込み管１０８から庫内に吹き込まれる。吹き込まれた蒸気は、ファン１２３から出る空気とともに加熱庫１０３内に供給される。
【０００７】
加熱庫１０３内には、角形ホテルパン１４７上に載せられた調理物１２７が置かれている。ホテルパン１４７は、加熱庫１０３側壁に沿って配置されたホテルパンラックのレール１４３に差し込まれている。なお、ホテルパンラック１４１は取り外し可能である。加熱庫１０３内の調理物１２７は、循環する空気及び蒸気の対流熱、並びに庫壁からの放射熱で加熱される。庫内温度及び調理時間は、調理者が設定することができる。
【０００８】
【発明が解決しようとする課題】
しかし、前記のスチームコンベクションオーブンにおいては、スチーム使用中に扉を開けると、図２に示すように、加熱庫１０３内部から高温のスチーム１０４が、開いた扉１０２の上方に一気に吹き出す。したがって、調理者は火傷を避けるために一時、スチームコンベクションオーブンの前面から身を避けねばならず、この結果、調理者の作業効率が悪くなるという欠点があった。
一方、厨房内に吹き出されたスチームの排出は、スチームコンベクションオーブンの上方に設けられた排気フードによって行なわれるが、スチームを大量に使用して調理を行なう場合、排気フードによるスチームの排気が追いつかず、この結果、スチームや熱気が厨房内にこもり、厨房内の環境が悪化する問題も生じていた。なお、調理品のでき具合を見るために調理中に扉を開けることは、しばしばあることである。
【０００９】
本発明は、このような事情に鑑みてなされたもので、スチームコンベクションオーブン等の調理用加熱装置の扉を調理中に開けた場合に加熱庫から調理者に向けて放出される熱気やスチームの量を極力少なくすることのできる調理用加熱装置を提供することを目的とする。
【００１０】
【課題を解決するための手段】
上記課題を解決するため、本発明の調理用加熱装置は、食物を加熱調理する加熱庫と、この加熱庫の扉と、この扉の開放面にエアーカーテンを形成する手段と、を具備し、
さらに、加熱庫内温度を検知する手段と、扉の開放を検知する手段と、庫内温度が所定温度以上でかつ扉開の時に上記エアーカーテン形成手段を運転する制御手段とをさらに具備することを特徴とする。
エアーカーテンの具体的構成として、扉開放面の下縁又は上縁に設けられた空気吹出し口と、扉開放面の上縁又は下縁に設けられた空気吸込み口と、両口間に流速３０m/sec 以上の気流を形成するための通風を手段採用できる。
【００１１】
【発明の実施の形態及び実施例】
以下、図面を参照しつつ説明する。
図１は、本発明の一実施例に係る調理用加熱装置（オーブン）のエアーカーテン機構を示す模式的斜視図である。
オーブン１の内部は加熱庫３となっており、加熱庫３の前面には扉５が設けられている。この図では扉５が開いており、扉開放面７が外部に露出している。
【００１２】
扉開放面７の上縁には、空気吹出し口１７が、横方向にほぼ上縁全体に延びるように設けられている。空気吹出し口１７の上側には、吹出しヘッダー１５が設けられており、同ヘッダー１５の奥側には通風路１３が接続されている。通風路１３の奥側の入口には送風ファン１１が備えられている。ファン１１を回すと、オーブン１の置かれている室内の空気が、通風路１３、ヘッダー１５を経て、空気吹出し口１７から下方に吹き出す。
【００１３】
一方、扉開放面７の下縁には、空気吸込み口１９が、横方向にほぼ下縁全体に延びるように設けられている。空気吸込み口１９の下側には、吹込みヘッダー２１が設けられており、同ヘッダー２１の奥側には通風路２３が接続されている。通風路２３の奥側には吸引ファン２５が備えられている。ファン２５を回すと、空気吸込み口１９から、扉開放面７の空気が吸い込まれ、通風路２３、ダクト２７を経て、排気フード（図示されず）に排出される。
【００１４】
このエアーカーテンの２台のファン１１、２５は、調理中又は調理終了後に扉５を開放すると自動的に運転されるようになっている。すなわち、図１の調理用加熱装置は、加熱庫内温度を検知する手段と、扉の開放を検知する手段と、庫内温度が所定温度以上でかつ扉開の時に上記エアーカーテン形成手段を運転する制御手段とを具備する。扉の開放は、図示されていないマイクロスイッチ（押圧式、磁気式等）によって検知される。この際、オーブン１の制御手段は、庫内温度を検知して、例えば１００℃以上であれば、調理中又は調理直後と判断する。エアーカーテンの運転終了は、エアーカーテン運転開始後からのタイマー（一例３秒）あるいは手動スイッチによって指示される。
【００１５】
エアーカーテンにおける空気流速は３０m/sec 以上であることが好ましい。スチームコンベクションオーブンのように高温の蒸気が加熱庫内に充満している場合でも、十分にその蒸気を遮蔽できる。高温の蒸気等は上に上るので、エアーカーテン空気流を図１とは逆、すなわち下から上にすることもできる。
【００１６】
【発明の効果】
以上説明したように、本発明の調理用加熱装置は以下の効果を発揮する。
▲１▼  調理が終了、あるいは調理加減を確認するために扉を開けたとき、調理者が不注意で熱気や蒸気を受けて火傷をしてしまうのを防止できる。
▲２▼  スチーム機能を有する場合は、特に扉を開けたときの蒸気のあふれが危険であり、温度も高いため、本機構による火傷防止は効果的である。
【図面の簡単な説明】
【図１】本発明の一実施例に係る調理用加熱装置（オーブン）のエアーカーテン機構を示す模式的斜視図である。
【図２】従来のスチームコンベクションオーブンの扉を開放した歳に加熱庫内から蒸気や熱気が吹き出す様子を示す斜視図である。
【図３】従来のスチームコンベクションオーブンの内部構造を示す模式的断面図である。
【符号の説明】
１  オーブン                      ３  加熱庫
５  扉                            ７  扉開放面
１１  ファン                      １３  通風路
１５  ヘッダー                    １７  空気吹出し口
１９  空気吸込み口                ２１  ヘッダー
２３  通風路                      ２５  ファン
２７  ダクト
【図１】
0003676456.tif 000002
【図２】
0003676456.tif 000003
【図３】
0003676456.tif 000004